(57)【要約】【課題】遮断器本体の移動に連動して回路遮断器の位置を自動で表示し、作業者が回路遮断器の位置を迅速かつ正確に把握できる、回路遮断器の位置表示装置を提供する。【解決手段】回路遮断器の位置表示装置は、移送台車１７０の底面に上下回動可能に設置され、遮断器本体１００の位置を示す部分を有する位置表示プレート１２０と、クレードル１１０に設置され、位置表示プレート１２０を上方に加圧する加圧面が段階的に備えられた表示サポータ１５０と、位置表示プレート１２０の回動に応じて遮断器本体１００の位置を示す部分を外部に露出させるウィンドウ１７１が形成された、移送台車１７０のフレーム部とを含む。【選択図】図５
2010158160.tif 000002
【特許請求の範囲】
【請求項１】
回路を開閉するための開閉機構及び接点を有して移動可能な遮断器本体と、電気的回路の電源及び負荷に電気的に接続するための端子、並びに前記遮断器本体に電気的に接続するための端子を有するクレードルと、前記遮断器本体を支持して前記クレードルの端子に電気的に接続される運転（ＲＵＮ）位置と前記クレードルの端子から電気的に分離されて前記遮断器本体のテストが可能なテスト（ＴＥＳＴ）位置とに前記遮断器本体を移送する移送台車とを備える回路遮断器において、
前記移送台車の底面に上下回動可能に設置され、前記遮断器本体の位置を示す部分を有する位置表示プレートと、
前記クレードルに設置され、前記位置表示プレートを上方に加圧する加圧面が段階的に備えられた表示サポータと、
前記位置表示プレートの回動に応じて前記遮断器本体の位置を示す部分を外部に露出させるウィンドウが形成された、前記移送台車のフレーム部と
を含むことを特徴とする回路遮断器の位置表示装置。
【請求項２】
前記移送台車の底面に固定され、前記位置表示プレートを回動可能に支持するピボットピンと、
前記移送台車の底面で前記位置表示プレートに一方向に弾性力を加える復帰スプリングと
をさらに含むことを特徴とする請求項１に記載の回路遮断器の位置表示装置。
【請求項３】
前記移送台車の底面に設置され、前記ピボットピンの両端部を支持する支持板を備えたブラケットをさらに含むことを特徴とする請求項２に記載の回路遮断器の位置表示装置。
【請求項４】
前記ブラケットは、
前記移送台車の底面に固定される固定板と、
前記支持板に対向するように配置されて前記位置表示プレートの回動空間を提供し、前記固定板と共に前記位置表示プレートの回動範囲を決定する拘束板と
をさらに備えることを特徴とする請求項３に記載の回路遮断器の位置表示装置。
【請求項５】
前記復帰スプリングは、
前記固定板に支持される上部ワイヤと、
前記位置表示プレートに支持される下部ワイヤとを含み、
前記上部ワイヤと前記下部ワイヤの連結部が前記ピボットピンに巻かれることを特徴とする請求項４に記載の回路遮断器の位置表示装置。
【請求項６】
前記表示サポータは、
前記位置表示プレートを段階的に加圧するように、高さの異なる複数の板部を有する加圧板部と、
前記クレードルの底面上で前記移送台車の進行方向に沿って前記加圧板部の両側に配置される結合板部と
を含むことを特徴とする請求項１に記載の回路遮断器の位置表示装置。
【請求項７】
前記加圧板部は、
前記位置表示プレートがテスト位置で接触する第１案内面と、
前記第１案内面より上方に突出した第２案内面と、
前記第２案内面より上方に突出し、前記位置表示プレートが運転位置で接触する第３案内面と
を含むことを特徴とする請求項６に記載の回路遮断器の位置表示装置。
【発明の詳細な説明】
【技術分野】
【０００１】
本発明は、回路遮断器の位置表示装置に関し、特に、回路遮断器を収納するクレードルで移動する回路遮断器の位置を迅速かつ正確に把握することのできる、回路遮断器の位置表示装置に関する。
【背景技術】
【０００２】
一般に、回路遮断器は、大きく引出型と固定型とに分類される。固定型回路遮断器は、遮断器本体のみを備え、配電盤内に位置が固定され、引出型回路遮断器は、遮断器本体、遮断器のメンテナンスを容易にするために遮断器本体を移送する移送台車、並びに回路の電源及び負荷に電気的に接続するための端子及び遮断器本体に電気的に接続するための端子を有するクレードルを備え、遮断器本体の引き込み及び引き出しが可能である。
【０００３】
ここで、引出型回路遮断器は、発電所や変電所などの運転又は制御、電動機の運転などのために、遮断器を含む様々な電気機器を収納して管理する配電盤に使用される。また、引出型回路遮断器は、配電盤に固定されたクレードルに収納されて使用され、回路遮断器の電源端子及び負荷端子がクレードルの電源端子及び負荷端子に接続されることによって回路の電源及び負荷との電気的接続が行われて運転が可能な運転（ＲＵＮ）位置と、回路遮断器の電源端子及び負荷端子がクレードルの電源端子及び負荷端子から分離されて遮断器本体の開閉動作テストのみ可能なテスト（ＴＥＳＴ）位置を有する。
【０００４】
作業者が遮断器本体をクレードルにおいてテスト位置に移動させるためには、まず、遮断器本体に備えられたインターロックリンクを上昇させると共に遮断器本体を引き出し、インターロックリンクをクレードルに備えられたインターロックプレートのテスト位置決定孔に挿入する。この位置は、遮断器本体の電源端子及び負荷端子がクレードルの電源端子及び負荷端子から分離された位置であり、遮断器本体には別途の制御電源のみ供給されて遮断器本体の開閉動作テストのみ可能である。このとき、作業者はクレードルのインターロックプレートの上面に位置する表示ステッカーのテスト位置を示す文字を見て遮断器本体の該当位置を判別することができる。
【０００５】
また、作業者は、遮断器本体の電源端子及び負荷端子をクレードルの電源端子及び負荷端子に接続することにより、回路遮断器のテスト位置から回路が遮断器本体に接続される運転位置に変更することができる。ここで、作業者は、インターロックリンクを上昇させてテスト位置決定孔から分離した状態で、遮断器本体をクレードルの端子側に押して移動させる。すると、インターロックリンクがクレードルの運転位置決定孔に挿入され、遮断器本体は運転位置に位置する。遮断器本体の位置が運転位置に変更されると、作業者はクレードルのインターロックプレートの上面に位置する表示ステッカーの運転位置を示す文字を見て遮断器本体の該当位置を判別することができる。
【０００６】
ここで、回路遮断器は、前述のように遮断器本体及び移送台車を含み、前記遮断器本体は、クレードルの電源端子及び負荷端子にそれぞれ接触する複数の端子、交流相毎に設けられる接点や真空インタラプタなどを備え、回路の異常電流発生時に電源と負荷間の回路を遮断する主回路部と、主回路部を開閉駆動する開閉機構（スイッチングメカニズム）とを含み、前記移送台車は、前記遮断器本体を運転位置又はテスト位置に移動させる手段である。
【発明の概要】
【発明が解決しようとする課題】
【０００７】
このような従来の回路遮断器においては、クレードルの底面に位置するインターロックプレートの上面に該当位置を表示する文字ステッカーを貼り付けており、作業者は遮断器本体を該当位置（運転位置又はテスト位置）に移動させた状態でその位置に貼り付けられている文字ステッカーを見て回路遮断器の位置を判別している。しかしながら、前記文字ステッカーは遮断器本体に隠れてよく見えず、従って、回路遮断器の位置を迅速かつ正確に把握することが困難であるという問題があった。
【０００８】
本発明は、このような従来技術の問題を解決するためになされたもので、回路遮断器の位置を迅速かつ正確に把握することのできる、回路遮断器の位置表示装置を提供することを目的とする。
【課題を解決するための手段】
【０００９】
上記の目的を達成するために、本発明は、回路を開閉するための開閉機構及び接点を有して移動可能な遮断器本体と、電気的回路の電源及び負荷に電気的に接続するための端子、並びに前記遮断器本体に電気的に接続するための端子を有するクレードルと、前記遮断器本体を支持して前記クレードルの端子に電気的に接続される運転（ＲＵＮ）位置と前記クレードルの端子から電気的に分離されて前記遮断器本体のテストが可能なテスト（ＴＥＳＴ）位置とに前記遮断器本体を移送する移送台車とを備える回路遮断器において、前記移送台車の底面に上下回動可能に設置され、前記遮断器本体の位置を示す部分を有する位置表示プレートと、前記クレードルに設置され、前記位置表示プレートを上方に加圧する加圧面が段階的に備えられた表示サポータと、前記位置表示プレートの回動に応じて前記遮断器本体の位置を示す部分を外部に露出させるウィンドウが形成された、前記移送台車のフレーム部とを含む、回路遮断器の位置表示装置を提供する。
【発明の効果】
【００１０】
本発明による回路遮断器の位置表示装置においては、クレードルに備えられた第１、第２、及び第３案内面を有する表示サポータと、移送台車に設置されてブラケットに備えられたピボットピンを中心に回動する位置表示プレートの連動により、位置表示プレートの矢印がフレーム部のウィンドウから露出し、回路遮断器がテスト位置（ＴＥＳＴ）又は運転位置（ＲＵＮ）にあることを示す。従って、遮断器本体の移動に連動して回路遮断器の位置を自動で表示し、作業者が回路遮断器の位置を迅速かつ正確に把握できるという効果がある。
【図面の簡単な説明】
【００１１】
【図１】本発明の一実施形態による回路遮断器の位置表示装置が設置される遮断器本体及び移送台車の斜視図である。
【図２】図１の移送台車を上下反転させて移送台車の底面の構成を示す、移送台車の底面斜視図である。
【図３】図２の移送台車の右側下部に設置される位置表示プレート及びブラケットの斜視図である。
【図４】図１の遮断器本体と接続されるクレードルの斜視図である。
【図５】図３の位置表示プレートと図４の表示サポータの相互関係を示す斜視図である。
【発明を実施するための形態】
【００１２】
以下、本発明による回路遮断器の位置表示装置の好ましい実施形態について添付図面を参照して詳細に説明する。なお、図に示す線の太さや構成要素の大きさなどは、説明の明瞭性と便宜性のために誇張して示すことがある。また、後述する用語は、本発明における機能を考慮して定義されたものであり、使用者、運用者の意図や慣例などによって変わることがある。従って、これらの用語は本明細書の全般にわたる内容に基づいて定義されるべきである。
なお、以下の実施形態は、本発明の権利範囲を限定するものではなく、本発明の特許請求の範囲に記載された構成要素の例示にすぎず、本明細書の全般にわたる技術思想に含まれ、特許請求の範囲の構成要素において均等物に置換可能な構成要素を含む実施形態は、本発明の権利範囲に含まれる。
【００１３】
図１〜図３に示すように、本発明の一実施形態による位置表示装置が設置される回路遮断器は、回路を開閉するための開閉機構及び接点を有して移動可能な遮断器本体１００と、電気的回路の電源及び負荷に電気的に接続するための端子、並びに遮断器本体１００に電気的に接続するための端子を有するクレードル（図４の符号１１０を参照）と、遮断器本体１００を支持して前記クレードルの端子に電気的に接続される運転（ＲＵＮ）位置と前記クレードルの端子から電気的に分離されて遮断器本体１００のテストが可能なテスト（ＴＥＳＴ）位置とに遮断器本体１００を移送する移送台車１７０とを備える。
【００１４】
図１の符号１０４、１０５、１０６は、前記クレードルの端子に電気的に接続するための端子を示す。図１の符号１７１は、移送台車１７０のフレーム部の前面板上に設けられるウィンドウを示す。図１及び図２の符号１０１は、手動で遮断器本体１００をテスト位置又は運転位置に移動させる場合に操作ハンドル（図示せず）を接続するためのハンドル接続部材を示す。
図２の符号１０７は、遮断器本体１００に備えられたインターロックレバー（符号なし）に接続され、下降時に図４のインターロックプレート１１１上のテスト位置決定孔１１１ａ又は運転位置決定孔１１１ｂに挿入され、上昇時にテスト位置決定孔１１１ａ又は運転位置決定孔１１１ｂから離脱するインターロックロッドを示す。
【００１５】
本発明の一実施形態による回路遮断器の位置表示装置は、移送台車１７０の底面に上下回動可能に設置され、遮断器本体１００の位置を示す部分を有する位置表示プレート１２０と、前記クレードルに設置され、位置表示プレート１２０を上方に加圧する加圧面が段階的に備えられた表示サポータ１５０と、位置表示プレート１２０の回動に応じて遮断器本体１００の位置を示す部分を外部に露出させるウィンドウ１７１が形成された、移送台車１７０のフレーム部とを含む。
【００１６】
図３に示すように、位置表示プレート１２０における遮断器本体１００の位置を示す部分には、矢印が表示されている。
図２及び図３を参照すると、移送台車１７０の底面には、位置表示プレート１２０を回動可能に支持するピボットピン１３０、及び移送台車１７０の底面で位置表示プレート１２０が一方向（図３の下方）に回動するように弾性力を加える、すなわち付勢する復帰スプリング１３１が備えられる。
【００１７】
また、移送台車１７０の底面には、ピボットピン１３０の両端部をそれぞれ支持する支持板１４１を備えたブラケット１４０が設置される。ここで、ブラケット１４０には、移送台車１７０の底面に固定される固定板１４２、及び支持板１４１に対向するように配置されて位置表示プレート１２０の回動空間を提供し、固定板１４２と共に位置表示プレート１２０の回動範囲を決定する拘束板１４３がさらに備えられる。つまり、位置表示プレート１２０は、ピボットピン１３０によりブラケット１４０の支持板１４１に回動可能に設置され、傾斜して対向する固定板１４２と拘束板１４３との間に拘束され、固定板１４２と拘束板１４３間の空間で回動する。ここで、復帰スプリング１３１は、固定板１４２に支持される上部ワイヤ１３２、及び位置表示プレート１２０に支持される下部ワイヤ１３３を含み、上部ワイヤ１３２と下部ワイヤ１３３の連結部はピボットピン１３０に巻かれる。
【００１８】
一方、図４及び図５を参照すると、表示サポータ１５０は、位置表示プレート１２０を上方に加圧する加圧面が段階的に備えられ、クレードル１１０の底面に設置される。
表示サポータ１５０は、位置表示プレート１２０を段階的に加圧する加圧板部１５２と、クレードル１１０の底面上で移送台車１７０の進行方向に沿って加圧板部１５２の両側に配置される結合板部１５１とを含む。加圧板部１５２は、遮断器本体１００がクレードル１１０に接続されるとき（正確には、遮断器本体の端子がクレードルの端子に接続されるとき）、位置表示プレート１２０を段階的に加圧して上昇させる役割を果たす。
【００１９】
図５に示すように、移送台車１７０のフレーム部の前面板には、位置表示プレート１２０の回動状態を外部に表示するウィンドウ１７１が形成される。位置表示プレート１２０の矢印は、ウィンドウ１７１の上側ウィンドウと下側ウィンドウ間を移動し、ウィンドウ１７１の横に表示されたＴＥＳＴやＲＵＮなどの位置マーク部１７２を示す。
ここで、加圧板部１５２は、位置表示プレート１２０がテスト位置（ＴＥＳＴ）を示すように、位置表示プレート１２０に接触して案内する第１案内面１６１、第１案内面１６１に連結されて第１案内面１６１より上方に突出した第２案内面１６２、及び第２案内面１６２に連結されて第２案内面１６２より上方に突出し、位置表示プレート１２０が運転位置（ＲＵＮ）を示すように、位置表示プレート１２０に接触して案内する第３案内面１６３を含む。
【００２０】
以下、前述のように構成される本発明の一実施形態による回路遮断器の位置表示装置の動作を説明する。
本発明の一実施形態による回路遮断器の位置表示装置は、遮断器本体１００の端子１０４、１０５、１０６がクレードル１１０の電源端子及び負荷端子に接続される運転位置と、遮断器本体１００の端子１０４、１０５、１０６がクレードル１１０の電源端子及び負荷端子から分離されて遮断器本体１００の開閉動作テストのみ可能なテスト位置間を移動するように構成されている。
【００２１】
従って、遮断器本体１００が移送台車１７０上に載置されて前記運転位置と前記テスト位置間を移動するとき、クレードル１１０に備えられた表示サポータ１５０と移送台車１７０に設置された位置表示プレート１２０の連動により、位置表示プレート１２０の位置表示矢印が移送台車１７０のウィンドウ１７１から露出し、回路遮断器が運転位置（ＲＵＮ）又はテスト位置（ＴＥＳＴ）にあることを自動で示す。
【００２２】
まず、作業者が遮断器本体１００をクレードル１１０において運転位置からテスト位置に移動させるためには、遮断器本体１００に備えられたインターロックレバーを持ち上げて、インターロックロッド１０７を図４のインターロックプレート１１１の運転位置決定孔１１１ｂから離脱させると共に、前記操作ハンドルにより遮断器本体１００を引き出し、インターロックロッド１０７をクレードル１１０に備えられたインターロックプレート１１１のテスト位置決定孔１１１ａに挿入する。ここで、テスト位置は、遮断器本体１００の端子１０４、１０５、１０６がクレードル１１０の対応する電源端子及び負荷端子から分離された位置であり、制御電源は供給される状態で遮断器本体１００の開閉動作テストのみ可能である。また、移送台車１７０の底面に設置された位置表示プレート１２０がピボットピン１３０を中心に回動して下降し、表示サポータ１５０の第１案内面１６１に位置する。
このとき、位置表示プレート１２０の位置表示矢印が移送台車１７０の下側ウィンドウ１７１から露出し、矢印はウィンドウ１７１の横に表示された位置マーク部１７２のＴＥＳＴを示す。従って、作業者はウィンドウ１７１を観測して遮断器本体１００がテスト位置にあることを確認することができる。
【００２３】
次に、作業者が遮断器本体１００の端子１０４、１０５、１０６をクレードル１１０の電源端子及び負荷端子に接続することにより、遮断器本体１００をテスト位置から外部の電源及び負荷間の回路に接続する運転位置に変更する動作を説明する。
作業者はハンドル接続部材１０１によりインターロックロッド１０７を上昇させてテスト位置決定孔１１１ａから分離し、遮断器本体１００をクレードル１１０の端子側に押すと、遮断器本体１００は移送台車１７０の車輪が転がることによってクレードル１１０の端子側に移動し、遮断器本体１００の端子１０４、１０５、１０６がクレードル１１０の電源端子及び負荷端子に電気的及び機械的に接続され、遮断器本体１００が外部の電源及び負荷間の回路に電気的に接続される。ここで、インターロックロッド１０７は、クレードル１１０の運転位置決定孔１１１ｂに挿入され、遮断器本体１００の移送台車１７０に設置された位置表示プレート１２０は、ピボットピン１３０を中心に回動して上昇し、表示サポータ１５０の第２案内面１６２を過ぎて第３案内面１６３に位置する。
このとき、位置表示プレート１２０の位置表示矢印が移送台車１７０の上側ウィンドウ１７１から露出し、矢印はウィンドウ１７１の横に表示された位置マーク部１７２のＲＵＮを示す。従って、作業者はウィンドウ１７１を観測して遮断器本体１００が運転位置にあることを確認することができる。
【符号の説明】
【００２４】
１００    遮断器本体
１０４、１０５、１０６    遮断器本体の端子
１１０    クレードル
１２０    位置表示プレート
１３０    ピボットピン
１３１    復帰スプリング
１３２    上部ワイヤ
１３３    下部ワイヤ
１４０    ブラケット
１４１    支持板
１４２    固定板
１４３    拘束板
１５０    表示サポータ
１５１    結合板部
１５２    加圧板部
１６１    第１案内面
１６２    第２案内面
１６３    第３案内面
１７０    移送台車
１７１    ウィンドウ
１７２    位置マーク部
【図１】
2010158160.tif 000003
【図２】
2010158160.tif 000004
【図３】
2010158160.tif 000005
【図４】
2010158160.tif 000006
【図５】
2010158160.tif 000007